(57)【要約】【課題】道路等の隙間に生えている雑草を除去する装置を提供する。【解決手段】砂等を高圧にて噴出するサンドブラスト装置と、雑草を吸引する集塵装置と、発電装置及びコンプレッサーからなる駆動装置と、から構成され移動可能な台車に搭載された装置本体と、該装置本体と可撓性を有するパイプ等によって接続され、後方上部には雑草吸引用ノズルを設け、また所定の角度を有してサンドブラスト用ノズルが取り付けられた雑草抜去部とからなり、道路等の隙間に生えている雑草を前記サンドブラスト用ノズルからの砂等の噴出圧によって抜去し、前記集塵装置によって吸引する。【選択図】        図１
2008193925.tif 000002
【特許請求の範囲】
【請求項１】
道路等の隙間に生えている雑草を除去する装置であって、砂等を高圧にて噴出するサンドブラスト装置と、雑草を吸引する集塵装置と、発電装置及びコンプレッサーからなる駆動装置と、から構成され移動可能な台車に搭載された装置本体と、該装置本体と可撓性を有するパイプ等によって接続され、上部には雑草吸引用ノズルを設け、また後部より所定の角度を有してサンドブラスト用ノズルが取り付けられた雑草抜去部とからなり、道路等の隙間に生えている雑草を前記サンドブラスト用ノズルからの砂等の噴出圧によって前記雑草を抜去し、前記集塵装置によって吸引することを特徴とする雑草の抜去装置。
【請求項２】
前記雑草抜去部は、下部が開放された躯体からなり、操作用ハンドルと移動可能な車輪を有すると共に、前記躯体の側面下部に雑草や砂等の飛散を防止するカバーを設け、前面及び後面の下部には可動可能な蓋体を設け、さらに内側後部に砂受けシュート部を設けたことを特徴とする請求項１記載の雑草の抜去装置。
【発明の詳細な説明】
【技術分野】
【０００１】
本発明は、道路等の隙間に生えている雑草を除去する雑草の抜去装置に関するものである。
【背景技術】
【０００２】
従来より、道路等の隙間に生えている雑草を除去する作業は、作業者による手作業が最も確実な方法であった。しかしながら余りにも非効率であり、高コストであることから各種の技術が提案されている。
【０００３】
例えば、作業者が手作業によって雑草を刈取った後、各種の除草剤の散布によって雑草除去を行なう技術が提案されている。
【０００４】
しかしながら、上記除草剤を使用する技術は薬剤によって作業者の健康を損なう惧れや、周辺の環境を損なう危険性もあった。
【０００５】
そこで、水もしくは砂、またはこれらの混合物の高圧噴出物を雑草に噴射する技術が提案されている（特許文献１参照。）。
【０００６】
【特許文献１】特開２００２−５８３０６号公報
【発明の開示】
【発明が解決しようとする課題】
【０００７】
しかしながら、上記特許文献１の技術は、高圧噴出物による雑草の除去技術は、背が高く茎の太い植物の除去には適するものの、道路等の隙間に残る背の低い雑草の除去には適さないばかりか、作業の終了後には噴出物や土、砂、雑草が散らばり、清掃作業や土、砂の埋め戻し作業が必要となった。
【０００８】
そこで本発明は、上記従来の問題点に鑑みなされたもので、作業者の手作業を排し低コストであると共に、除草剤などの薬剤を一切使用しないため安全であり、しかも雑草を除去した後に土、砂の埋め戻し作業を必要としない雑草抜去装置を提供するものである。
【課題を解決するための手段】
【０００９】
このため本発明の雑草の抜去装置は、道路等の隙間に生えている雑草を除去する装置であって、砂等を高圧にて噴出するサンドブラスト装置と、雑草を吸引する集塵装置と、発電装置及びコンプレッサーからなる駆動装置と、から構成され移動可能な台車に搭載された装置本体と、該装置本体と可撓性を有するパイプ等によって接続され、先端部に雑草を切り取って回収する切り取り部を有し、後方上部には雑草吸引用ノズルを設け、また所定の角度を有してサンドブラスト用ノズルが取り付けられた雑草抜去部とからなり、道路等の隙間に生えている雑草を前記サンドブラスト用ノズルからの砂等の噴出圧によって前記雑草を抜去し、前記集塵装置によって吸引することを第一の特徴とする。
【００１０】
また、前記雑草抜去部は、下部が開放された躯体からなり、操作用ハンドルと移動可能な車輪を有すると共に、前記躯体の側面に前記サンドブラスト装置による雑草や砂等の散乱を防止するカバーを設け、前面及び後面の下部には可動可能な蓋体を設け、さらに前記雑草抜去部の内側後部に砂受けシュートを設けたことを第二の特徴とする。
【発明の効果】
【００１１】
本発明に係る雑草抜去装置によれば、道路等の隙間に生えている雑草を砂等の噴出圧によって巻上げて、抜去すると共に集塵装置によって吸引することができるため、手作業や薬品を必要とせず効率的であり低コストであるという優れた効果を有する。
【００１２】
また、雑草抜去部に雑草や砂等の散乱を防止するカバーや可動可能な蓋体を設けたため、雑草の抜去作業の際に道路周辺に土や砂或いは雑草等が散らばることがないという効果を有する。
【００１３】
しかも、雑草抜去部の内側後部に砂受けシュートを設けたため、サンドブラスト装置から噴出させて雑草を抜去させた砂等をこの砂受けシュートに回収しながら、雑草を抜去した道路等の隙間に埋め戻しを行なうことが可能であるという優れた効果を有する。
【発明を実施するための最良の形態】
【００１４】
以下、本発明を図面に基づいて説明する。図１は本発明の雑草の抜去装置を使用する状態を示す説明図、図２は本発明の雑草の抜去装置本体の斜視説明図、図３は抜去部の側面拡大説明図、図４は抜去部の正面拡大説明図である。
【実施例】
【００１５】
図１に示すように、本発明に係る雑草の抜去装置１は、２人の作業者によって稼動させて、車道と歩道との境やガードレール近傍に自生する雑草２を抜去するものであり、一方の作業者が装置本体３を搬送し、他方の作業者が抜去部４を両手で操作し、後述するサンドブラスト装置の砂の噴出によって雑草２を抜去して、集塵装置によって回収する。
【００１６】
図２は雑草の抜去装置１の装置本体３を示しており、装置本体３は車輪５によって移動可能な台車６に搭載された、集塵装置７及び発電機８と、サンドブラスト装置９及びエンジン付きエアコンプレッサー１０とからなり、可撓性を有するパイプ１１、１２によって抜去部４と接続している。
【００１７】
図３は抜去部４を示す側面拡大説明図、図４は正面拡大説明図であり、抜去部４は、下方が開放された箱状のケース本体１３からなり、両側面には１対の主車輪１４とアームハンドル１５が回動自在に取り付けられ、また主車輪１４の近傍には補助車輪１６がそれぞれ取り付けられ、ケース本体１３と地面との間に一定の隙間を空けた状態で移動可能とされている。そしてケース本体１３の上部には孔部１７が形成され前記集塵装置７に連結するパイプ１１を装着して、後述する砂の噴出により抜去された雑草を吸引可能とし、また正面若しくは背面の中央部には軸受け金具１８を介しケース本体１３を斜めに挿通してノズルホルダー１９が取り付けられ、ノズルホルダー１９の先端部には砂を噴出させるノズル２０が地面に向かって取り付けられている。またケース本体１３の上部の所定箇所には、点検用蓋２１が開閉可能に取り付けられている。
【００１８】
また、ケース本体１３と地面との間の隙間部には、側面部に防飛ブラシ２２が夫々設けられ、正面部及び背面部には夫々ガード板２３がケース本体１３内方に傾動可能に取り付けられており、砂の噴出によって抜去された雑草や砂、土等の飛散を防止する。そして、ケース本体１３内には２枚の砂シュート板２４が前記ノズルホルダー１９を挟んで夫々ケース本体１３の内側面から中央部に傾斜して設けられ、前記噴出した砂や土などを回収し落下させる。さらに、ケース本体１３の両側面には車輪取り付け軸２５を介してガイド車輪２６が傾動可能に設けられ、道路と歩道との間にあるガッター（縁石）をガイドして抜去部４のノズル２０を隙間部（雑草の自生位置）に案内する。
【００１９】
上記の構成からなる本発明の雑草の抜去装置１は、サンドブラスト装置９及びエアコンプレッサー１０による砂の噴出によって道路等の隙間に生えている雑草の抜去を可能とし、さらに集塵装置７によって抜去した雑草を吸引して回収することができるため、従来の手作業や薬品を必要とせず効率的でしかも安全に作業が行なえる。しかも雑草を抜去する際に動路等の隙間から雑草と共に取り除かれた土や、サンドブラス装置から噴出された砂は、砂シュート板２４によって集められ、元の隙間部へ戻されるため、雑草の抜去作業後の埋め戻し作業を必要とせず効率である。尚、上記実施例には記載していないが、抜去部４に雑草２を刈取る機構を設けておくことも可能であり、使用する状況によって適宜選択される。
【００２０】
次に、図１乃至図３によって本発明の雑草の抜去装置の作用を説明する。まず作業者が道路と歩道との間の隙間に生えた雑草２の位置に装置本体２と抜去部４を移動させる。この際作業者はアームハンドル１５を操作しガイド車輪２６を利用してガッター（縁石）をガイドすることによって雑草２の生えている位置にノズル２０の先端の位置が固定される。そして装置本体３のエアコンプレッサー１０によって圧縮空気をサンドブラスト装置９に送気し、サンドブラスト装置９内の砂をパイプ１２及びノズルホルダー１９を介してノズル２０から噴出させながら雑草２を抜去する。抜去された雑草や砂や土の一部は抜去部４のケース本体１３内から孔部１７を介してパイプ１１を通して集塵装置７へ回収される。この際、ケース本体１３の側面下部及び正面、背面下部にはそれぞれ防飛ブラシ２２及びガイド板２３が予め設けられており、抜去した雑草や土、砂の飛散を防止する。そして、雑草２の抜去に使用した砂や道路の隙間部から排出した土の一部は、砂シュート板２４によって集められ、元の隙間部へ戻される。
【００２１】
以上、本発明による雑草の抜去装置によれば、道路等の隙間に生えている雑草を砂等の噴出圧によって巻上げて、抜去すると共に集塵装置によって吸引することができるため、手作業や薬品を必要とせず効率的であり低コストである。そして雑草の抜去作業の際に道路周辺に土や砂或いは雑草等が散らばることがなく、しかも、雑草抜去部の内側後部に砂受けシュートを設けたため、サンドブラスト装置から噴出させて雑草を抜去させた砂等をこの砂受けシュートに回収しながら、雑草を抜去した道路等の隙間に埋め戻しを行なうことができる。
【産業上の利用可能性】
【００２２】
本発明による雑草の抜去装置は、道路保全の分野において多用されるばかりでなく、公園、公共施設の整備用機器として利用可能である。
【図面の簡単な説明】
【００２３】
【図１】本発明の雑草の抜去装置を使用する状態を示す説明図である。
【図２】本発明の雑草の抜去装置本体の斜視説明図である。
【図３】抜去装置の側面拡大説明図。
【図４】抜去部の正面拡大説明図である。
【符号の説明】
【００２４】
１        雑草の抜去装置
２        雑草
３        装置本体
４        抜去部
５        車輪
６        台車
７        集塵装置
８        発電機
９        サンドブラスト装置
１０        エアコンプレッサー
１１、１２  パイプ
１３        ケース本体
１４        主車輪
１５        アームハンドル
１６        補助車輪
１７        孔部
１８        軸受け金具
１９        ノズルホルダー
２０        ノズル
２１        点検用蓋
２２        防飛ブラシ
２３        ガイド板
２４        砂シュート板
２５        車輪取り付け軸
２６        ガイド車輪
【図１】
2008193925.tif 000003
【図２】
2008193925.tif 000004
【図３】
2008193925.tif 000005
【図４】
2008193925.tif 000006